(57)【要約】【課題】  ファール球通路の交換を容易にして、ファール球通路の変更に柔軟に対応可能なパチンコ遊技機を提供することを目的とする。【解決手段】  遊技球払出し装置と、遊技球払出し装置から払い出された遊技球を受ける受け皿７と、ファール球を回収するファール球回収部とを備え、受け皿７に、遊技球払出し装置から払い出された遊技球を受け皿に排出するための払出し口７３と、ファール球回収部により回収されたファール球を受け皿に排出するためのファール球出口７４とが、独立して開口しており、ファール球出口７４が、受け皿７の後壁部７５に開口し、受け皿７が設けられた前面枠３の後面側に、通路ユニット２０が取外し可能に取着され、通路ユニット２０内にファール球が通過するファール球通路が形成され、ファール球通路の出口とファール球出口７４とが連結されているパチンコ遊技機。【選択図】  図３
2006149807.tif 000002
【特許請求の範囲】
【請求項１】
遊技機内に設けられた遊技球払出し装置と、
前記遊技球払出し装置から払い出された遊技球を受ける受け皿と、
発射された遊技球のうち遊技領域に達しなかった遊技球（以下、ファール球と言う。）を回収するファール球回収部と、
を備え、
前記受け皿に、前記遊技球払出し装置から払い出された遊技球を前記受け皿に排出するための払出し口と、前記ファール球回収部により回収されたファール球を前記受け皿に排出するためのファール球出口とが、独立して開口しているパチンコ遊技機であって、
前記ファール球出口が、前記受け皿の後壁部に開口し、
前記受け皿が設けられた前面枠の後面側に、通路ユニットが取外し可能に取着され、
前記通路ユニット内に、前記ファール球回収部により回収されたファール球が通過するファール球通路が形成され、前記ファール球通路の出口と前記ファール球出口とが連結されている
ことを特徴とするパチンコ遊技機。
【請求項２】
前記ファール球通路が前後左右に屈曲するとともに、前記ファール球通路に、下方から上方へ向かって行き止まりとなる袋小路状構造が設けられていることを特徴とする請求項１記載のパチンコ遊技機。
【請求項３】
前記通路ユニットが複数の部材に分割可能に構成され、前記通路ユニットを前記複数の部材に分割したときに、前記ファール球通路を形成する通路壁の一部が、開放されることを特徴とする請求項１または２記載のパチンコ遊技機。
【請求項４】
前記通路ユニット内に、前記遊技球払出し装置から払い出された遊技球を前記払出し口に導く払出し球通路が、前記ファール球通路とは独立して形成されていることを特徴とする請求項１または２記載のパチンコ遊技機。
【請求項５】
前記通路ユニットが複数の部材に分割可能に構成され、前記通路ユニットを前記複数の部材に分割したときに、前記ファール球通路を形成する通路壁の一部、及び、前記払出し球通路を形成する通路壁の一部が、それぞれ開放されることを特徴とする請求項４記載のパチンコ遊技機。
【発明の詳細な説明】
【技術分野】
【０００１】
本発明は、賞球が払い出される受け皿とファール球が返却される受け皿とを１つの皿としたパチンコ遊技機に関する。
【背景技術】
【０００２】
従来のパチンコ遊技機は、賞球が払い出される受け皿が、上受け皿と、上受け皿の下方に設けられた下受け皿とに分かれていた。そして、上受け皿に賞球を払い出し、上受け皿で貯留できなくなった賞球を下受け皿に流下させて貯留するとともに、発射された遊技球のうち遊技領域に達しなかった遊技球（以下、ファール球と言う。）を下受け皿に返却していた。
【０００３】
しかし、最近では、遊技の興趣を向上させるため、従来より遊技領域が大きいパチンコ遊技機が望まれており、遊技領域を大きくするためには、必然的に受け皿の位置を低くせざるを得ない。このため、賞球が払い出される受け皿を上受け皿と下受け皿とに分けずに１つの共通皿として、その共通皿の位置を従来の上受け皿よりも低くしたパチンコ遊技機が市場に投入されるようになっている。
【０００４】
かかる共通皿を用いたパチンコ遊技機では、従来下受け皿に返却されていたファール球を共通皿へ返却する必要があるが、遊技機から払い出される賞球や貸し球の通路（以下、払出し球通路と言う。）と同じ通路を用いてファール球を返却すると、払出し球通路は多数の賞球や貸し球を通過させるために経路が単純で広い通路とされているため、払出し球通路から遊技領域へピアノ線等を侵入させて不正操作が行われる虞がある。そこで、払出し球通路とは独立のファール球通路を用いて、ファール球を共通皿へ返却する必要があり、かかる構成を採用したパチンコ遊技機としては、下記特許文献１に示すものがある。
【特許文献１】特開２００３−２９０５２６号公報
【発明の開示】
【発明が解決しようとする課題】
【０００５】
しかし、特許文献１のパチンコ遊技機では、ファール球トンネル２２を介してファール球を返却しているが、ファール球トンネル２２は、受け皿１０の縁部、すなわち、前方に膨出した部分を通って、受け皿１０の側壁に開口している。したがって、新たな不正操作防止等のためにファール球トンネル２２を変更する必要が生じた場合には、受け皿１０自体を交換せざるを得ず、交換が容易でないという問題があった。特に、受け皿１０は、破損防止のため、前面パネル４６に一体形成する等、前面パネル４６から取外し不可能に装着されている場合が多く、その場合には前面パネル４６自体を交換せざるを得ないため、交換に費用や手間がかかり、交換が困難であった。
【０００６】
この発明は、上述した問題を解決するものであり、ファール球通路の交換を容易にして、ファール球通路の変更に柔軟に対応可能なパチンコ遊技機を提供することを目的とする。
【課題を解決するための手段】
【０００７】
本発明のパチンコ遊技機は、遊技機内に設けられた遊技球払出し装置と、前記遊技球払出し装置から払い出された遊技球を受ける受け皿と、発射された遊技球のうち遊技領域に達しなかった遊技球（以下、ファール球と言う。）を回収するファール球回収部と、を備え、前記受け皿に、前記遊技球払出し装置から払い出された遊技球を前記受け皿に排出するための払出し口と、前記ファール球回収部により回収されたファール球を前記受け皿に排出するためのファール球出口とが、独立して開口しているパチンコ遊技機であって、前記ファール球出口が、前記受け皿の後壁部に開口し、前記受け皿が設けられた前面枠の後面側に、通路ユニットが取外し可能に取着され、前記通路ユニット内に、前記ファール球回収部により回収されたファール球が通過するファール球通路が形成され、前記ファール球通路の出口と前記ファール球出口とが連結されていることを特徴とする。
【０００８】
ここで、前記ファール球通路が前後左右に屈曲するとともに、前記ファール球通路に、下方から上方へ向かって行き止まりとなる袋小路状構造が設けられていることが好ましい。
【０００９】
そして、前記通路ユニットが複数の部材に分割可能に構成され、前記通路ユニットを前記複数の部材に分割したときに、前記ファール球通路を形成する通路壁の一部が、開放されることが好ましい。
【００１０】
また、前記通路ユニット内に、前記遊技球払出し装置から払い出された遊技球を前記払出し口に導く払出し球通路が、前記ファール球通路とは独立して形成されていることが好ましい。
【００１１】
さらに、前記通路ユニットが複数の部材に分割可能に構成され、前記通路ユニットを前記複数の部材に分割したときに、前記ファール球通路を形成する通路壁の一部、及び、前記払出し球通路を形成する通路壁の一部が、それぞれ開放されることが好ましい。
【発明の効果】
【００１２】
本発明のパチンコ遊技機によれば、取外し可能な通路ユニット内に、ファール球通路が形成されているので、通路ユニットの交換、すなわち、ファール球通路の交換が容易であり、新たな不正操作等に応じたファール球通路の変更に、柔軟に対応できる。
【００１３】
また、ファール球通路が前後左右に屈曲するとともに、ファール球通路に、下方から上方へ向かって行き止まりとなる袋小路状構造が設けられていることとすれば、ピアノ線等を屈曲させつつ侵入させなければならないばかりでなく、ピアノ線等の先端部が袋小路状構造へ入り込んで阻止されるので、ピアノ線等による侵入が困難であり、不正操作の虞が低減される。
【００１４】
そして、通路ユニットを複数の部材に分割可能に構成し、通路ユニットを分割したときに、ファール球通路を形成する通路壁の一部が開放されることとすれば、メンテナンスが容易であるとともに、通路ユニットの製造が容易となる。
【００１５】
また、通路ユニット内に、払出し球通路をファール球通路とは独立させて形成すれば、払出し球通路を介してファール球通路にピアノ線等を侵入させ、さらに遊技領域に侵入させることによる不正操作を防止できるとともに、払出し球通路とファール球通路とが１つの通路ユニット内に形成されているので、部品点数が減少し、部品の組み付け作業の手数が減少する。
【００１６】
さらに、通路ユニットを複数の部材に分割可能に構成し、通路ユニットを分割したときに、払出し球通路を形成する通路壁の一部、及び、ファール球通路を形成する通路壁の一部が開放されることとすれば、メンテナンスが容易であるとともに、通路ユニットの製造が容易となる。
【発明を実施するための最良の形態】
【００１７】
以下、本発明の一実施形態を図面に基づいて説明する。
【００１８】
図１及び図２に示すように、パチンコ遊技機Ｐは、外枠１と、外枠１の前面側に開閉可能に装着された遊技盤取付枠２と、遊技盤取付枠２の前面側に開閉可能に装着された前面枠３とを備えている。
【００１９】
遊技盤取付枠２には、遊技盤１８が取着されている。遊技盤１８には、遊技球を誘導する外レール１７及び内レール１９（図２には図示せず。図１参照）が取着され、外レール１７の上部と、内レール１９とによって囲まれた領域が、遊技領域１８ａとされている。遊技領域１８ａには、図示しない釘、表示装置、入賞口等が設けられている。内レール１９の左側先端部には、遊技領域１８ａに達した遊技球が、外レール１７と内レール１９との間の打球誘導通路２４に戻ることを防止する戻り防止片２７が取着されている。
【００２０】
遊技盤取付枠２の前面側には、遊技盤１８の下方位置に、打球発射装置の一部を構成する発射機構部（図示せず）が装着されている。遊技盤取付枠２の後面側には、図１の破線で示す位置に、遊技球払出し装置３０が装着されている。遊技球払出し装置３０の下流側には、払出し球経路部材４（図４にその先端部を示す。）が連結され、払出し球経路部材４は遊技盤取付枠２の後面側から前面側に延設されている。
【００２１】
前面枠３は、前面枠３と遊技盤取付枠２とを閉じ合わせた場合に遊技領域１８ａに重なる部位が開口されている。この開口部位を閉塞するように、前面枠３には、透明のクリアカバー５が装着されている。また、この開口部位に対応する部分が透明とされた透明板ユニットが、前面枠３の後面側に装着されている。したがって、前面枠３と遊技盤取付枠２とを閉じ合わせた場合に、クリアカバー５及び透明板ユニットの透明部分を通して、遊技領域１８ａが視認できる。
【００２２】
前面枠３の下部には、中央部から右側部にかけて、球抜きボタン１１、球貸しボタン１２、返却ボタン１３、演出ボタン１４が配設されている。前面枠３の下部の右側部には、打球発射装置の一部を構成する打球発射ハンドル１０が装着されている。
【００２３】
また、前面枠３の下部には、中央部から左側部にかけて、前方に膨出する受け皿７が、前面枠３から取り外し不可能に設けられている。詳しくは、図３に示すように、受け皿７の膨出壁部７７の外側部は、前面枠３に一体形成されている。受け皿７の後壁部７５には、払出し口７３とファール球出口７４とが互いに独立して開口している。受け皿７の底壁部７６には、球抜き用の開閉可能な球抜き口７１と、打球発射装置に遊技球を導く遊技球誘導レール７２とが形成されている。前面枠３の下部の後面側には、打球発射装置の一部を構成する球送り機構部（図示せず）が装着され、遊技球誘導レール７２に誘導された遊技球は球送り機構部に送られた後、発射機構部に送られる。
【００２４】
前面枠３の下部の左側部には、補助受け皿８が、前方に膨出するように一体形成されている。補助受け皿８の位置は、受け皿７よりも上方とされている。補助受け皿８には、外部球誘導樋１５が、補助受け皿８の後壁部から前面枠３を貫通して後方に延びるように、一体形成され、補助受け皿８の後壁部には、外部球誘導樋１５によって形成される外部球誘導通路１６の入口が開口している。
【００２５】
図４に示すように、前面枠３の下部の後面側には、合成樹脂製の通路ユニット２０が、取外し可能に装着されている。図５〜図７に示すように、通路ユニット２０は、前側部材２０ａと後側部材２０ｂとから構成される。そして、通路ユニット２０は、前側部材２０ａと後側部材２０ｂとを貫通する複数の取付孔を有しており、前側部材２０ａと後側部材２０ｂとを組み合わせて、取付孔の位置を前面枠３の後面に突設された取付ボスの位置に合わせ、取付孔及び取付ボスに後方から螺子を螺着することにより、通路ユニット２０は前面枠３に締着される。逆に、通路ユニット２０を締着している螺子を外すことにより、通路ユニット２０は、前面枠３から取り外されるとともに、前側部材２０ａと後側部材２０ｂとに分割される。
【００２６】
通路ユニット２０内には、遊技球払出し装置３０から払い出された遊技球を導く払出し球通路２１と、打球発射装置から発射されて遊技領域１８ａに達しなかったファール球を導くファール球通路２２とが、互いに独立に（すなわち、合流することなく）形成されている。図７の破線矢印で払出し球通路２１の経路を示し、２点鎖線矢印でファール球通路２２の経路を示す。
【００２７】
そして、図６に示すように、通路ユニット２０を前側部材２０ａと後側部材２０ｂとに分割することにより、払出し球通路２１及びファール球通路２２は、それぞれ、通路壁の一部が開放される。詳しくは、払出し通路２１を形成する通路壁のうちの後側部材２０ｂで構成されている部分、及び、ファール球通路２２を形成する通路壁のうちの後側部材２０ｂで構成されている部分が、それぞれ開放される。
【００２８】
前面枠３と遊技盤取付枠２とを閉じ合わせたとき、払出し球通路２１の入口２１ａは、払出し球経路部材４によって形成される払出し球経路の出口４ａ（図４参照）に連結され、乃至は、出口４ａの直下に配置される。払出し球通路２１の出口２１ｂは、払出し口７３に連結されている。払出し球通路２１の途中には、外部球誘導通路１６の出口が開口している。すなわち、外部球誘導通路１６と払出し球通路２１とにより、補助受け皿８と払出し口７３とは連通されている。
【００２９】
通路ユニット２０は、ファール球回収部２９を有している。ファール球回収部２９は、ファール球通路２２の入口部（ファール球通路２２の入口２２ａを形成する部分）に相当する。前面枠３と遊技盤取付枠２とを閉じ合わせたとき、ファール球回収部２９は、打球誘導通路２４の下方に配置されて、入口２２ａは上方すなわち打球誘導通路２４に向かって開口する。ファール球通路２２の出口２２ｂは、ファール球出口７４に連結されている。なお、本実施形態では出口２２ｂとファール球出口７４とを直接連結しているが、出口２２ｂからファール球出口７４まで直線状に延びる通路を介して、出口２２ｂとファール球出口７４とを連結してもよい。
【００３０】
ファール球通路２２は、図７の２点鎖線矢印で示すように、前後左右に屈曲している。そして、図６に示すように、下方からのピアノ線等の侵入を防止するための不正防止片２５ａ、２５ｂ、２５ｃ、２５ｄ、２５ｅ（一括して言及するときは不正防止片２５と言う。）が、ファール球通路２２内に突出するように設けられており、不正防止片２５の全部または一部（本実施形態では、不正防止片２５ａ、２５ｂ、２５ｃ）によって、ファール球通路２２には、袋小路状部２６が形成されている。袋小路状部２６は、下方から上方に向かって行き止まりとなる袋小路状構造とされている。
【００３１】
図４に示すように、前面枠３の下部の後面側には、通路部材２０の下方に、内部に球抜き通路が形成された球抜き通路部材２８が装着されている。一方、受け皿７の底壁部７６の下方には図示しない底部通路部材が配設されており、底部通路部材内に形成されている底部通路の入口は、球抜き口７１に連結され、底部通路の出口は、前面枠３の下部の後面側に開口して、球抜き通路の入口に連結されている。球抜き通路の出口は、前面枠３の下端面に開口する図示しない球排出口に連結されている。
【００３２】
そして、遊技者による球抜きボタン１１の押下等、所定の球抜き操作がなされると、球抜き口７１が開放され、受け皿７に貯留されていた遊技球が、球抜き口７１及び底部通路を介して球抜き通路に流入し、球排出口から排出される。
【００３３】
球抜き通路部材２８は、図８に示すように、前面枠３に取着された前側部材２８ａに対して後側部材２８ｂが開閉可能となるように、後側部材２８ｂが前面枠３に枢着されている。そして、前側部材２８ａに対して後側部材２８ｂを開いたとき、球抜き通路を形成する通路壁のうちの後側部材２８ｂで構成されている部分が、開放される。これにより、例えば受け皿７に入れられた異物が球抜き通路に入りこんだ場合に、容易に球抜き通路から異物を取り除くことができる等、球抜き通路のメンテナンスが容易となる。
【００３４】
以上のように構成されたパチンコ遊技機Ｐの作用について、次に説明する。
【００３５】
遊技者の発射操作により、受け皿７内の遊技球は、順次、遊技球誘導レール７２を通って打球発射装置内に入り、打球されて打球誘導通路２４を上昇し、戻り防止片２７を越えて遊技領域１８ａに至る。遊技球が遊技領域１８ａ内の所定の入賞口に入って表示装置に特定の図柄が表示される等、所定の入賞状態が発生すると、遊技球払出し装置３０から所定数の遊技球（賞球）が払い出される。払い出された遊技球は、払出し球経路部材４内の払出し球経路を通って、払出し球通路２１に入る。そして、払出し球通路２１を通って、払出し口７３から受け皿７に排出される。
【００３６】
なお、遊技者の貸し球要求操作に従ってパチンコ遊技機Ｐ自体が球貸しを行う場合も、所定数の遊技球（貸し球）が遊技球払出し装置３０から払い出されて、賞球の場合と同じ経路で、払出し口７３から受け皿７に排出される。
【００３７】
また、打球発射装置から発射されたものの戻り防止片２７を越えられず、遊技領域１８ａに達しなかったファール球は、打球誘導通路２４を落下し、入口２２ａからファール球通路２２に入る（すなわち、ファール球回収部２９に回収される）。そして、ファール球通路２２を図７の２点鎖線矢印で示すように通って、出口２２ｂに至り、ファール球出口７４から受け皿７に排出される。
【００３８】
一方、ファール球出口７４からピアノ線等を挿入し、ファール球通路２２を通って遊技領域１８ａ内に侵入させようとしたとき、ファール球通路２２は前後左右に屈曲されているので、ピアノ線等も前後左右に屈曲させなければならない。また、ピアノ線等の侵入が不正防止片２５により阻止され易く、特に、ピアノ線等の先端部が袋小路状部２６に入り込むことにより、侵入が阻止され易い。このため、ピアノ線等により、ファール球通路２２を介して遊技領域１８ａへ侵入することは非常に困難である。そして、ファール球は通常１個で落下してくるため、経路が複雑であっても球詰まりの虞は小さい。
【００３９】
また、ファール球通路２２を介した新たな侵入方法に対処する等のため、ファール球通路２２を変更する必要が生じた場合には、通路ユニット２０を前面枠３に締着している螺子を外せば、通路ユニット２０が前面枠３から取り外される。そして、通路ユニット２０を交換すれば、ファール球通路２２が交換されることとなるので、ファール球通路２２の変更に柔軟に対応できる。
【００４０】
さらに、通路ユニット２０が前側部材２０ａと後側部材２０ｂとに分割可能に構成されており、そのように分割したときに、払出し球通路２１とファール球通路２２の通路壁の一部がそれぞれ開放されるので、万一球詰まりが発生したときには、分割して球を取り除けば容易に球詰まりが解消できる等、メンテナンスが容易である。また、通路ユニット２０を複数の部材に分割して製造することにより、製造が容易となる。
【００４１】
なお、本実施形態では、通路ユニット２０を前面枠３に取着している螺子を外すことにより、通路ユニット２０が前面枠３から取り外されるとともに、前側部材２０ａと後側部材２０ｂとに分割されるように構成したが、前側部材２０ａを前面枠３から取り外し不可能とし、後側部材２０ｂを前側部材２０ａに対して開閉可能とすることにより、通路ユニット２０を前側部材２０ａと後側部材２０ｂとに分割可能となるように構成してもよい。
【００４２】
また、本実施形態では、通路ユニット２０を前側部材２０ａと後側部材２０ｂとの２つの部材に分割可能としたが、３つ以上の部材に分割可能に構成してもよい。
【００４３】
すなわち、特許請求の範囲を逸脱しない範囲で、本発明は種々の構成を採り得る。
【図面の簡単な説明】
【００４４】
【図１】本発明のパチンコ遊技機の一実施形態の概略正面図である。
【図２】図１のパチンコ遊技機の前面枠を開いた状態の概略斜視図である。
【図３】図１のパチンコ遊技機の要部斜視図である。
【図４】図１のパチンコ遊技機の前面枠を開いた状態の要部斜視図であり、前面枠の後面側から見た図である。
【図５】図１のパチンコ遊技機の通路ユニットの後面側から見た斜視図である。
【図６】図１のパチンコ遊技機の通路ユニットの分解斜視図である。
【図７】図１のパチンコ遊技機の通路ユニットの前面側から見た斜視図である。
【図８】図１のパチンコ遊技機の前面枠の後面側から見た要部斜視図であり、球抜き通路部材を開いた状態の図である。
【符号の説明】
【００４５】
３…前面枠
７…受け皿
２０…通路ユニット
２０ａ…前側部材
２０ｂ…後側部材
２１…払出し球通路
２２…ファール球通路
２６…袋小路状部
２９…ファール球回収部
３０…遊技球払出し装置
７３…払出し口
７４…ファール球出口
７５…後壁部
【図１】
2006149807.tif 000003
【図２】
2006149807.tif 000004
【図３】
2006149807.tif 000005
【図４】
2006149807.tif 000006
【図５】
2006149807.tif 000007
【図６】
2006149807.tif 000008
【図７】
2006149807.tif 000009
【図８】
2006149807.tif 000010